(57)【要約】【課題】ユーザがコネクタの蓋の開閉状態を容易に把握することが可能な電子機器を提供する。【解決手段】電子機器は、筐体と、筐体に設けられた少なくとも１つのコネクタ部と、コネクタ部を覆う蓋部とを含む。蓋部は、少なくとも開閉する際に変形する部分に、変形の大きさに応じて電気抵抗が変化する可撓性の導体を含む。電子機器は、導体の電気抵抗値の変化に基づいて、蓋部の開閉状態を判定する判定部をさらに含む。【選択図】図９
2014011035.tif 000002
【特許請求の範囲】
【請求項１】
電子機器であって、
筐体と、
前記筐体に設けられた少なくとも１つのコネクタ部と、
前記コネクタ部を覆う蓋部とを備え、
前記蓋部は、少なくとも開閉する際に変形する部分に、変形の大きさに応じて電気抵抗が変化する可撓性の導体を含み、
前記電子機器は、
前記導体の電気抵抗値の変化に基づいて、前記蓋部の開閉状態を判定する判定部をさらに備える、電子機器。
【請求項２】
前記コネクタ部は、
前記筐体から内側の位置で露出しており、
前記蓋部は、閉じた状態で、前記コネクタ部に係合するとともに外表面が前記筐体と略一体的になり、
前記導体は、前記蓋部が閉じた状態で、前記コネクタ部と干渉しない位置に設けられる、請求項１に記載の電子機器。
【請求項３】
前記判定部は、前記電気抵抗値と、予め定められた基準値とを比較し、比較結果に基づいて、前記蓋部の開閉状態を判定し、
前記電子機器は、
前記判定部によって判定された前記蓋部の開閉状態をユーザに通知する通知部をさらに備え、請求項１または２に記載の電子機器。
【請求項４】
前記通知部は、前記電気抵抗値が、前記蓋部が開いているときの前記電気抵抗値を示す第１の基準値と、前記蓋部が閉じているときの前記電気抵抗値を示す第２の基準値との間であるとの前記判定部の判定結果に基づいて、前記蓋部が不完全に閉じていることをユーザに通知する、請求項３に記載の電子機器。
【請求項５】
前記コネクタ部に、接続部材が接続されているか否かを判断する接続判断部をさらに備え、
前記接続判断部が、前記少なくとも１つのコネクタ部のうち、接続時に前記筐体から外側に突起する前記接続部材が接続されるコネクタ部に、前記接続部材が接続されていると判断した場合、前記判定部は、前記蓋部の開閉状態の判定を休止する、請求項３または４に記載の電子機器。
【請求項６】
前記導体は、可変抵抗ゴムを含む、請求項１〜５のいずれか１項に記載の電子機器。
【請求項７】
電子機器の制御方法であって、
前記電子機器は、筐体と、前記筐体に設けられた少なくとも１つのコネクタ部と、前記コネクタ部を覆う蓋部とを含み、前記蓋部は、少なくとも開閉する際に変形する部分に、変形の大きさに応じて電気抵抗が変化する可撓性の導体を有し、
前記電子機器の制御方法は、
前記導体の電気抵抗値の変化に基づいて、前記蓋部の開閉状態を判定するステップを含む、電子機器の制御方法。
【請求項８】
電子機器の制御プログラムであって、
前記電子機器は、筐体と、前記筐体に設けられた少なくとも１つのコネクタ部と、前記コネクタ部を覆う蓋部とを含み、前記蓋部は、少なくとも開閉する際に変形する部分に、変形の大きさに応じて電気抵抗が変化する可撓性の導体を有し、
前記制御プログラムは、コンピュータに、
前記導体の電気抵抗値の変化に基づいて、前記蓋部の開閉状態を判定するステップを実行させる、電子機器の制御プログラム。
【発明の詳細な説明】
【技術分野】
【０００１】
本発明は、コネクタとコネクタを覆う蓋部とを含む電子機器に関する。
【背景技術】
【０００２】
従来、可変抵抗ゴム等の可変抵抗エラストマーを利用し、該エラストマーが受けた変形に応じて電気抵抗が変化するように構成された可変抵抗装置は、種々開発されている。
【０００３】
例えば、特開２００６−２２２１６６号公報（特許文献１）には、可変抵抗装置が開示されている。可変抵抗装置は、２つの電極と、これらの２つの電極間に設けられ、２つの電極を互いに電気的に接続する、全体としては非直線状をなす可撓導電路とを有してなり、可撓導電路のうちの少なくとも２つの電極にそれぞれ接続される部分は、変形を受けていない状態でも電気絶縁体とはならない程度の電気抵抗を示し、かつ変形を受けると電気抵抗が下がる特性を備えている細長い形状の可変抵抗エラストマーからなり、可変抵抗エラストマーの少なくとも一部は、装置外の力により変形を受けていない状態において、２つの電極の双方から遠ざかる方向に延びている。
【０００４】
特開平８−１３８９１３号公報（特許文献２）には、可変抵抗装置が開示されている。可変抵抗装置は、変形を受けると該変形の大きさに応じて電気抵抗を変化する可変抵抗ゴムであって、筒状ないしは管状とされた可変抵抗ゴムと、この可変抵抗ゴム内に通された線状ないしは棒状の電極とを有してなるものである。
【０００５】
特開平８−２２９０８号公報（特許文献３）には、可変抵抗装置が開示されている。可変抵抗装置は、変形を受けると該変形の大きさに応じて電気抵抗を変化する可変抵抗ゴムであって、変形を受けていないときは横断面外周が円形をなしている可変抵抗ゴムと、この可変抵抗ゴムに対し相対的に可動であって該ゴムの外周面に線状部分で接触される電極とを有してなるものである。
【先行技術文献】
【特許文献】
【０００６】
【特許文献１】特開２００６−２２２１６６号公報
【特許文献２】特開平８−１３８９１３号公報
【特許文献３】特開平８−２２９０８号公報
【発明の概要】
【発明が解決しようとする課題】
【０００７】
ここで、従来、携帯電話などの電子機器には、その側面や上面にケーブルや各種カードを接続するためのコネクタが設けられている。コネクタに対応するケーブルなどを当該コネクタに差し込むことで、外部電源あるいは外部機器に接続することができる。一般的には、コネクタは、電子機器本体に凹部に設け、更に凹部内に接続端子を設けることで構成される。そして、水、ごみ、異物などがコネクタに混入する事態を避けるために、本体にはコネクタを覆う蓋が設けられている。例えば、近年では、防水機能を有する携帯電話も多いが、当該携帯電話において、十分な防水機能が発揮されるためには、その蓋を完全に閉じる必要がある。したがって、携帯電話のユーザが、蓋の開閉状態を容易に把握できることが求められているが、上記文献は、このことについて考慮されたものではない。
【０００８】
本発明は、上記のような問題点を解決するためになされたものであって、ユーザがコネクタの蓋の開閉状態を容易に把握することが可能な電子機器、その制御方法およびその制御プログラムを提供することを目的とする。
【課題を解決するための手段】
【０００９】
ある実施の形態に従うと、電子機器は、筐体と、筐体に設けられた少なくとも１つのコネクタ部と、コネクタ部を覆う蓋部とを含む。蓋部は、少なくとも開閉する際に変形する部分に、変形の大きさに応じて電気抵抗が変化する可撓性の導体を含む。電子機器は、導体の電気抵抗値の変化に基づいて、蓋部の開閉状態を判定する判定部をさらに含む。
【００１０】
好ましくは、コネクタ部は、筐体から内側の位置で露出している。蓋部は、閉じた状態で、コネクタ部に係合するとともに外表面が筐体と略一体的になる。導体は、蓋部が閉じた状態で、コネクタ部と干渉しない位置に設けられる。
【００１１】
好ましくは、判定部は、電気抵抗値と、予め定められた基準値とを比較し、比較結果に基づいて、蓋部の開閉状態を判定する。電子機器は、判定部によって判定された蓋部の開閉状態をユーザに通知する通知部をさらに含む。
【００１２】
好ましくは、通知部は、電気抵抗値が、蓋部が開いているときの電気抵抗値を示す第１の基準値と、蓋部が閉じているときの電気抵抗値を示す第２の基準値との間であるとの判定部の判定結果に基づいて、蓋部が不完全に閉じていることをユーザに通知する。
【００１３】
好ましくは、電子機器は、コネクタ部に、接続部材が接続されているか否かを判断する接続判断部をさらに含む。接続判断部が、少なくとも１つのコネクタ部のうち、接続時に筐体から外側に突起する接続部材が接続されるコネクタ部に、接続部材が接続されていると判断した場合、判定部は、蓋部の開閉状態の判定を休止する。
【００１４】
好ましくは、導体は、可変抵抗ゴムを含む。
別の実施の形態に従うと、電子機器の制御方法が提供される。電子機器は、筐体と、筐体に設けられた少なくとも１つのコネクタ部と、コネクタ部を覆う蓋部とを含む。蓋部は、少なくとも開閉する際に変形する部分に、変形の大きさに応じて電気抵抗が変化する可撓性の導体を有する。電子機器の制御方法は、導体の電気抵抗値の変化に基づいて、蓋部の開閉状態を判定するステップを含む。
【００１５】
別の実施の形態に従うと、電子機器の制御プログラムが提供される。電子機器は、筐体と、筐体に設けられた少なくとも１つのコネクタ部と、コネクタ部を覆う蓋部とを含む。蓋部は、少なくとも開閉する際に変形する部分に、変形の大きさに応じて電気抵抗が変化する可撓性の導体を有する。制御プログラムは、コンピュータに、導体の電気抵抗値の変化に基づいて、蓋部の開閉状態を判定するステップを実行させる。
【発明の効果】
【００１６】
以上のように、ある局面によれば、ユーザがコネクタの蓋の開閉状態を容易に把握することが可能となる。
【図面の簡単な説明】
【００１７】
【図１】本実施の形態に従う電子機器の外観を示す模式図である。
【図２】本実施の形態に従う電子機器のハードウェア構成を示すブロック図である。
【図３】本実施の形態に従うコネクタ部の平面図を示す図である。
【図４】本実施の形態に従う蓋部の平面図を示す図である。
【図５】本実施の形態に従う蓋部の開閉状態を示す概略断面図である。
【図６】本実施の形態に従う可変抵抗ゴムを伸長させた場合の伸長率と電気抵抗の変化との関係を示す図である。
【図７】本実施の形態に従う電子機器の回路構成の概略図である。
【図８】本実施の形態に従うコネクタ部にＵＳＢケーブルが接続されている場合を示す図である。
【図９】本実施の形態に従う電子機器の機能構成を示すブロック図である。
【図１０】本実施の形態に従う電子機器が実行する蓋部の開閉状態の判定処理を示すフローチャートである。
【図１１】本実施の形態に従う電子機器が実行する蓋部の開閉状態の判定処理の変形例を示すフローチャートである。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜Ａ．外観＞
まず、本実施の形態に従う電子機器１０の外観について説明する。
【００２０】
図１は、本実施の形態に従う電子機器１０の外観を示す模式図である。以下の説明では、電子機器１０がスマートフォンである場合について説明する。但し、本実施の形態に従う電子機器１０は、例えば、携帯電話、タブレット端末、ＰＤＡ（Personal  Digital  Assistance）、ＰＣ（Personal Computer）などの装置であってもよい。
【００２１】
図１を参照して、電子機器１０は、筐体１２と、筐体１２の側面に配置されたコネクタ部１１４Ａ、１１４Ｂ（以下、総称して「コネクタ部１１４」とも称す。）と、表示部としてのディスプレイ１０８と、ディスプレイ１０８へのユーザによるタッチ入力された位置を検出可能な位置検出部としてのタッチパネル１０６と、各種の操作を行なうためのボタン１２０とを含む。なお、筐体１２は、例えば、ポリカーボネイト樹脂などのプラスチックによって構成される。
【００２２】
電子機器１０は、筐体１２によってその外形が構成される。コネクタ部１１４は、筐体１２に凹部に設け、更に当該凹部内に接続端子を設けることで構成される。換言すると、コネクタ部１１４は、筐体１２から内側の位置で露出している。なお、図１には、コネクタ部１１４Ａ、１１４Ｂが、それぞれ対応するコネクタの蓋部３０Ａ、３０Ｂ（以下総称して「蓋部３０」とも称す。）で覆われていない（蓋部３０が開いている）状態が示されている。ユーザは、蓋部３０を開けてコネクタ部１１４にケーブル、カードなどを接続する。
【００２３】
コネクタ部１１４Ａは、例えば、電子機器１０と他の装置とを接続するための各種ケーブルの装着を受け付ける。より具体的には、コネクタ部１１４Ａは、ＵＳＢ（Universal  Serial  Bus）インターフェイス、ＨＤＭＩ（High-Definition Multimedia Interface）インターフェイス、オーディオインターフェイスなどとして実現される。コネクタ部１１４Ｂは、例えば、各種カードの装着を受け付ける。より具体的には、コネクタ部１１４Ｂは、ＳＩＭ（Subscriber Identity Module）カード、ＳＤ（Secure Digital）カード、ＣＦ（Compact  Flash（登録商標））カードのインターフェイスとして実現される。なお、図１には、電子機器１０が、２つのコネクタ（コネクタ部１１４Ａ、１１４Ｂ）を有している場合について示しているが、１つでもよく、また（筐体１２の他の面などに）これ以上のコネクタを有していてもよい。
【００２４】
ディスプレイ１０８には、アプリケーションのコンテンツやデータなどが表示される。ディスプレイ１０８は、例えば、液晶ディスプレイあるいは有機ＥＬ（Electro-Luminescence）ディスプレイである。また、ディスプレイ１０８には透明なタッチパネル１０６が取り付けられており、ユーザからのタッチ操作に伴う各種の指示を受け付けることが可能である。
【００２５】
電子機器１０は、基本的に、ユーザが片手または両手で把持して使用することが想定される。また、ユーザが電子機器１０の長手方向および短手方向のいずれを把持した場合であっても、その把持方向に適した方向に加速度センサなどを利用して画面表示を切替えるようにしてもよい。
【００２６】
＜Ｂ．ハードウェア構成＞
電子機器１０のハードウェア構成について説明する。
【００２７】
図２は、本実施の形態に従う電子機器１０のハードウェア構成を示すブロック図である。
【００２８】
図２を参照して、電子機器１０は、主たる構成要素として、ＣＰＵ（Central  Processing  Unit）１０２と、メモリ１０４と、タッチパネル１０６と、ディスプレイ１０８と、スピーカ１１０と、ＬＥＤ（Light Emitting Diode）１１２と、コネクタ部１１４と、無線通信部１１６と、通信アンテナ１１８と、ボタン１２０と、Ａ／Ｄ（analog/digital）変換器１２２とを含む。
【００２９】
ＣＰＵ１０２は、メモリ１０４に記憶されたプログラムを読み出して実行することで、電子機器１０の各部の動作を制御する。より詳細にはＣＰＵ１０２は、当該プログラムを実行することによって、後述する電子機器１０の処理（ステップ）の各々を実現する。ＣＰＵ１０２は、例えば、マイクロプロセッサ（Microprocessor）である。なお、当該ハードウェアは、ＣＰＵ以外のＦＰＧＡ（Field  Programmable  Gate Array）、ＡＳＩＣ（Application  Specific  Integrated  Circuit）およびその他の演算機能を有する回路などであってもよい。
【００３０】
メモリ１０４は、ＲＡＭ（Random  Access  Memory）、ＲＯＭ（Read-Only  Memory）、ハードディスクなどによって実現される。メモリ１０４は、ＣＰＵ１０２によって実行されるプログラム、データなどを記憶する。
【００３１】
タッチパネル１０６は、表示部としての機能を有するディスプレイ１０８上に設けられており、例えば、静電容量方式のタッチパネルである。タッチパネル１０６は、所定時間毎に外部の物体によるタッチパネル１０６へのタッチ操作を検知して、タッチ座標（タッチ位置）をＣＰＵ１０２に入力する。
【００３２】
スピーカ１１０は、ＣＰＵ１０２からの指示に基づいて、音声を出力する。ＬＥＤ１１２は、ＣＰＵ１０２からの信号に基づいて、予め定められた発光動作を実現する。
【００３３】
コネクタ部１１４は、各種インターフェイスとして実現される。コネクタ部１１４は、電子機器１０が有する少なくとも１つコネクタ部の総称（本例では、コネクタ部１１４Ａ、１１４Ｂの総称）である。例えば、メモリインターフェイスとしてのコネクタ部１１４は、外部の記憶媒体からデータを読み出す。すなわち、ＣＰＵ１０２は、コネクタ部１１４を介して外部の記憶媒体に格納されているデータを読み出して、当該データをメモリ１０４に格納する。ＣＰＵ１０２は、メモリ１０４からデータを読み出して、コネクタ部１１４を介して当該データを外部の記憶媒体に格納する。なお、記憶媒体としては、ＣＤ（Compact  Disc）、ＤＶＤ（Digital  Versatile  Disk）、ＢＤ（Blu-ray  Disc）、ＵＳＢメモリ、メモリカード、ＩＣ（Integrated  Circuit）カード（メモリカードを除く）、光カードなどが挙げられる。
【００３４】
また、通信インターフェイスとしてのコネクタ部１１４は、電子機器１０と外部装置との間で各種データをやり取りする。通信方式としては、例えば、無線ＬＡＮ（Local  Area  Network）などによる無線通信であってもよいし、ＵＳＢを利用した有線通信であってもよい。
【００３５】
無線通信部１１６は、通信アンテナ１１８を介して通信のための信号を送受信する。すなわち、無線通信部１１６は、ＣＰＵ１０２からの通信データを通信信号に変換し、その通信信号を通信アンテナ１１８を介して通信相手に送信したり、通信アンテナ１１８を介して通信相手から受信した通信信号を通信データに変換し、その通信データをＣＰＵ１０２に入力したりする。したがって、電子機器１０は、たとえば、第３世代移動通信システム（３Ｇ）、ＬＴＥ（Long  Term  Evolution）などの無線通信網を介してインターネットなどに接続することが可能となる。
【００３６】
ボタン１２０は、電子機器１０の表面に配置されており、ユーザからの指示を受け付けて、ＣＰＵ１０２に当該指示を入力する。ボタン１２０は、例えば、表示画面を遷移させる画面遷移ボタン、確定ボタン、キャンセルボタンなどを含む。
【００３７】
Ａ／Ｄ変換器１２２は、入力された電圧値をデジタルデータに変換して、電圧値を示す電気信号をＣＰＵ１０２に対して出力する。ＣＰＵ１０２は、例えば、入力された電気信号に基づいて、抵抗素子の抵抗値を算出する。
【００３８】
＜Ｃ．コネクタ部および蓋部の構成＞
図３は、本実施の形態に従うコネクタ部１１４の平面図を示す図である。
【００３９】
図３を参照すると、筐体１２の側面の凹部に配置されたコネクタ部１１４が示されている。コネクタ部１１４の凹部２４には、接続端子２２が設けられている。例えば、ケーブル（またはカード）などをコネクタ部１１４に差し込むことによって、ケーブルの接続端子と、コネクタ部１１４の接続端子２２とが接触する。ケーブルとコネクタ部１１４との電気的な接続により、電子機器１０は、外部機器と接続される。
【００４０】
図４は、本実施の形態に従う蓋部３０の平面図を示す図である。
図４を参照すると、蓋部３０は、可変抵抗ゴム３２と、カバー３４とを含む。
【００４１】
可変抵抗ゴム３２は、両端部に正電極および負電極を有する。可変抵抗ゴム３２は、例えば、シリコーンゴムなどで形成されている。可変抵抗ゴム３２は、変形すると、その変形の大きさに応じて電極間の電気抵抗が変化する性質を有する。なお、可変抵抗ゴム３２の変形パターンとしては、伸長、圧縮、捻じり、曲げなど様々な変形パターンが想定される。変形の大きさと電気抵抗との関係については後述する。なお、可変抵抗ゴム３２は、変形の大きさに応じて電気抵抗が変化する可撓性の導体であればよく、例えば、ゴム以外のエストラマーであってもよい。
【００４２】
可変抵抗ゴム３２は、カバー３４の内表面（蓋部３０を閉じたときの筐体１２側の面）において、その外周に沿ってコの字型に取り付けられている。また、後述するように、可変抵抗ゴム３２は、少なくとも蓋部３０を開閉する際に変形する（伸長する）部分に取り付けられる。なお、カバー３４は、例えば、ポリカーボネイト樹脂などのプラスチックによって構成される。
【００４３】
可変抵抗ゴム３２の取り付けパターンはこれに限られず、蓋部３０が閉じられてコネクタ部１１４に係合されたときに、可変抵抗ゴム３２と当該コネクタ部１１４とが干渉しない位置に設けられていればよい。より具体的には、蓋部３０が閉じた状態で、蓋部３０と筐体１２とが略一体化したときに、可変抵抗ゴム３２が接続端子２２に接触しないような位置に設けられていればよい。例えば、図３、４の例では、コネクタ部１１４の接続端子２２は、凹部２４の中央付近に設けられていることから、カバー３４の外周に沿って設けられている可変抵抗ゴム３２には、蓋部３０が閉じた状態においても接触しない。なお、このとき、可変抵抗ゴム３２は、凹部２４の外周をコの字型に取り囲むように筐体１２と接触し、凹部２４への異物の混入を防ぐように構成されている。
【００４４】
図５は、本実施の形態に従う蓋部３０の開閉状態を示す概略断面図である。図５（ａ）は、コネクタ部１１４の蓋部３０が閉じた状態を示す概略断面図である。図５（ｂ）は、コネクタ部１１４の蓋部３０が開いた状態を示す概略断面図である。
【００４５】
図５（ａ）を参照して、蓋部３０が閉じた状態では、コネクタ部１１４が蓋部３０で覆われ、コネクタ部１１４の外表面（カバー３４）と筐体１２とが略一体化していることがわかる。可変抵抗ゴム３２の両端部の電極は、筐体１２の内部に設けられている。このとき、可変抵抗ゴム３２は、負荷が小さい状態（伸長率が小さい状態）となっている。
【００４６】
図５（ｂ）を参照して、蓋部３０が紙面上方向に持ち上げられて、蓋部３０が開いた状態になると、蓋部３０に取り付けられた可変抵抗ゴム３２が伸長する。すなわち、このとき、可変抵抗ゴム３２は、負荷が大きい状態（伸長率が大きい状態）となっている。
【００４７】
したがって、可変抵抗ゴム３２は、少なくとも蓋部３０を開閉する際に、変形する（伸長する）ことがわかる。
【００４８】
ここで、可変抵抗ゴム３２の伸長率と電気抵抗との関係について説明する。
図６は、本実施の形態に従う可変抵抗ゴム３２を伸長させた場合の伸長率と電気抵抗の変化との関係を示す図である。
【００４９】
図６を参照すると、可変抵抗ゴム３２は、伸長率が小さい場合には大きな電気抵抗を有し、かつ伸長率が大きくなるにつれて電気抵抗が小さくなる特性を有することがわかる。伸長率の変化に対する電気抵抗の変化は、滑らかであり、ヒステリシスロスが小さい。すなわち、力を加えて（伸ばして）変形させる場合と、力を除去し変形を戻す場合の電気抵抗にほとんど差がない。なお、可変抵抗ゴム３２は、例えば、負荷がかかっていない状態では数１００ｋΩ〜１０００ｋΩの抵抗値を有する。
【００５０】
したがって、図５（ａ）のように、蓋部３０が閉じた状態では、可変抵抗ゴム３２は、伸長率が小さいため、電気抵抗値が大きくなる（例えば、図６における状態Ａ）。これに対して、図５（ｂ）のように、蓋部３０が開いた状態では、可変抵抗ゴム３２は、伸長率が大きいため、電気抵抗値が小さくなる（例えば、図６における状態Ｂ）。そこで、電子機器１０は、可変抵抗ゴム３２の電気抵抗値を算出することによって、蓋部３０の開閉状態を判定することが可能となる。
【００５１】
＜Ｄ．判定方式＞
次に、電子機器１０が提供する蓋部３０の開閉状態の判定方式について説明する。
【００５２】
図７は、本実施の形態に従う電子機器１０の回路構成の概略図である。
図７を参照して、電源−ＧＮＤ間の基準電圧は、可変抵抗ゴム３２による可変抵抗６００と、抵抗６１０とで分圧される。Ａ／Ｄ変換器１２２は、その分圧電圧値を読み取り、当該電圧値をデジタルデータに変換して、電圧値を示す電気信号をＣＰＵ１０２に出力する。ＣＰＵ１０２は、入力された電気信号に基づいて、可変抵抗ゴム３２の電気抵抗値を算出する。そして、ＣＰＵ１０２は、算出された電気抵抗値（以下「算出抵抗値」とも称す。）と、予め定められた基準値とに基づいて、蓋部３０の開閉状態を判定する。ここで、基準値とは、蓋部３０の開閉状態を判定するための判断基準となる電気抵抗値である。例えば、当該基準値は、予めメモリ１０４に格納されている。
【００５３】
ＣＰＵ１０２は、ある局面では、算出抵抗値が基準値未満であれば、蓋部３０が開いた状態であると判断し、算出抵抗値が基準値以上であれば、蓋部３０が閉じた状態であると判定する。例えば、図６の例に照らすと、ＣＰＵ１０２は、算出抵抗値が、状態Ａに対応する電気抵抗値以上であれば、蓋部３０が閉じた状態であると判定し、算出抵抗値が、状態Ａに対応する電気抵抗値未満であれば、蓋部３０が開いた状態であると判定する。
【００５４】
また、図６に示したように、蓋部３０の形状変化（可変抵抗ゴム３２の形状変化）により、可変抵抗ゴム３２の電気抵抗値は滑らかに変化する。したがって、蓋部３０の開閉状態と可変抵抗ゴム３２の電気抵抗値とを予め関連付けておけば、ＣＰＵ１０２は、算出抵抗値に基づいて、どの程度、蓋部３０が開いた（閉じた）状態かを判定することができる。ＣＰＵ１０２は、例えば、算出抵抗値が、蓋部３０が完全に開いた状態の電気抵抗値と、蓋部３０が完全に閉じた状態の電気抵抗値との間であると判断した場合、蓋部３０が不完全に閉じた（少し開いた）状態であると判定することもできる。具体例として、図６の例に照らすと、ＣＰＵ１０２は、算出抵抗値が、状態Ａの電気抵抗値以上の場合には、完全に蓋部３０が閉じた状態であると判定し、状態Ｂの電気抵抗値以下の場合には、完全に蓋部３０が開いた状態であると判定する。そして、ＣＰＵ１０２は、算出抵抗値が、状態ＡとＢとの間の電気抵抗値である場合には、蓋部３０が不完全に閉じた状態（少し開いた状態）であると判定する。
【００５５】
ここで、本実施の形態に従う電子機器１０が、所定の条件に基づいて、蓋部３０の開閉状態の判定処理を休止することについて説明する。
【００５６】
ユーザは、必要に応じて、蓋部３０を開けてコネクタ部１１４に対応する接続部材を接続する。なお、接続部材とは、コネクタ部１１４に接続される部材（ケーブル、カードなど）である。ここで、電子機器１０と外部装置とを接続するためのケーブルが、コネクタ部１１４に接続されている場合について説明する。
【００５７】
図８は、本実施の形態に従うコネクタ部１１４にＵＳＢケーブル５０が接続されている場合を示す図である。
【００５８】
図８を参照して、コネクタ部１１４にＵＳＢケーブル５０が接続されている場合には、ＵＳＢケーブル５０は、筐体１２から外側に突起する状態となる。このとき、ユーザは、蓋部３０を閉めることは不可能である。このように、ＵＳＢケーブル５０のような、接続時に筐体１２から外側に突起する接続部材が接続されるコネクタ部１１４としては、例えば、ＵＳＢ、ＨＤＭＩ、オーディオ（イヤホン、ヘッドホン）などのインターフェイスに対応するコネクタ部１１４が挙げられる。ユーザは、通常、このような接続部材がコネクタ部１１４に接続されている場合には、蓋部３０を開けた状態で電子機器１０を使用する。そして、ユーザは、このとき、蓋部３０の開閉状態（すなわち、蓋部３０が開いていること）を容易に把握することができる。そこで、このような場合には、電子機器１０のＣＰＵ１０２は、蓋部３０の開閉状態の判定処理を休止して、電子機器１０の消費電力を低減する。
【００５９】
これに対して、コネクタ部１１４に各種カードなどが接続されている場合には、当該各種カードは、筐体１２の内部に収納可能である。したがって、各種カードなどは、ケーブルなどとは異なり、コネクタ部１１４への接続時に筐体１２から外側に突起する状態とはならない。このとき、ユーザは、蓋部３０を閉めることが可能である。このように、接続時に筐体１２の内部に収容可能な接続部材が接続されるコネクタとしては、例えば、ＳＩＭカード、ｍｉｃｒｏＳＤカードなどのインターフェイスに対応するコネクタが挙げられる。ユーザは、通常、このような接続部材がコネクタ部１１４に接続されている場合には、蓋部３０を閉じた状態で電子機器１０を使用する。そして、ユーザは、このとき、蓋部３０の開閉状態を容易に把握することができないため、蓋部３０がわずかに開いていたとしてそのことに気が付きにくく、蓋部３０の閉じ忘れが生じる可能性がある。そこで、このような場合には、ＣＰＵ１０２は、蓋部３０の開閉状態の判定処理を実行する。そして、ＣＰＵ１０２は、蓋部３０が開いた状態であると判断した場合には、例えば、ディスプレイ１０８に蓋部３０が開いていること示す情報を表示して、ユーザに対して注意を促す。
【００６０】
＜Ｅ．機能構成＞
次に、上記の判定方式を実現するための電子機器１０の機能構成について説明する。
【００６１】
図９は、本実施の形態に従う電子機器１０の機能構成を示すブロック図である。
図９を参照して、電子機器１０は、算出部２００と、判定部２０２と、通知部２０４と、接続判断部２０６を含む。これらの構成は、基本的には、電子機器１０のＣＰＵ１０２がメモリ１０４に格納されたプログラムを実行し、電子機器１０の構成要素へ指令を与えることなどによって実現される。すなわち、ＣＰＵ１０２は電子機器１０の動作全体を制御する制御部としての機能を有する。なお、これらの機能構成の一部または全部はハードウェアで実現されていてもよい。
【００６２】
算出部２００は、Ａ／Ｄ変換器１２２を介して入力された電圧値を示す電気信号に基づいて、可変抵抗ゴム３２の電気抵抗値を算出する。より具体的には、入力された電気信号は、可変抵抗ゴム３２による可変抵抗６００と抵抗６１０における分圧電圧値であるため、算出部２００は、当該分圧電圧値と電源−ＧＮＤ間の基準電圧とに基づいて、可変抵抗６００の電気抵抗値を算出する。
【００６３】
判定部２０２は、電気抵抗値の変化に基づいて、蓋部３０の開閉状態を判定する。より具体的には、判定部２０２は、可変抵抗ゴム３２の電気抵抗値と、予め定められた基準値とを比較し、比較結果に基づいて、蓋部３０の開閉状態を判定する。さらに詳細には、判定部２０２は、ある局面では、算出部２００によって算出された電気抵抗値（算出抵抗値）が、基準値以上であれば、蓋部３０が閉じた状態であると判定し、算出抵抗値が、基準値未満であれば、蓋部３０が開いた状態であると判定する。判定部２０２は、別の局面では、算出抵抗値が、蓋部３０が完全に閉じた状態の電気抵抗値を示す第１の基準値と、蓋部３０が完全に開いた状態の電気抵抗値を示す第２の基準値との間であると判断した場合、蓋部３０が不完全に閉じた（少し開いた）状態であると判定する。
【００６４】
通知部２０４は、判定部２０２によって判定された蓋部３０の開閉状態をユーザに通知する。より具体的には、通知部２０４は、ある局面では、ディスプレイ１０８に蓋部３０の開閉状態を示す情報（例えば、メッセージ）を表示させる。通知部２０４は、別の局面では、スピーカ１１０に蓋部３０の開閉状態を示す音声（例えば、開状態のときにアラーム音など）を出力させる。通知部２０４は、さらに別の局面では、ＬＥＤ１１２に蓋部３０の開閉状態を示す発光動作（例えば、開状態は「赤」、閉状態は「青」を発光させる）を行なわせる。
【００６５】
接続判断部２０６は、コネクタ部１１４を介して入力される検出信号に基づいて、ケーブル（またはカード）などの接続部材が、コネクタ部１１４に接続されているか否かを判断する。より具体的には、接続判断部２０６は、少なくとも１つのコネクタ部１１４のうち、接続時に筐体１２から外側に接続部材が突起する状態となるコネクタ部１１４に、接続部材が接続されているか否かを判断する。
【００６６】
判定部２０２は、接続判断部２０６によって、接続時に筐体１２から外側に接続部材が突起する状態となるコネクタ部１１４に、接続部材が接続されていると判断された場合、蓋部３０の開閉状態の判定を休止する。当該機能は、蓋部３０の開閉状態を判定する必要のない場合には、判定処理を休止して、電子機器１０の消費電力を低減するためのものである。
【００６７】
なお、接続時に筐体１２から外側に接続部材が突起する状態となるコネクタか否かは、コネクタにおけるインターフェイスの種類ごとに、予め設定されている。例えば、ＵＳＢインターフェイスに対応するコネクタ部１１４は、接続時に筐体１２から外側に接続部材が突起する状態となるコネクタ部１１４として設定される。一方、ＳＩＭカードのインターフェイスに対応するコネクタ部１１４は、ＳＩＭカードが筐体１２の内部に収納可能であるため、接続時に筐体１２から外側に接続部材が突起する状態となるコネクタ部１１４として設定されない。なお、当該設定は、ユーザによって任意に設定を変更可能であってもよい。
【００６８】
＜Ｆ．フローチャート＞
次に、電子機器１０が実行する蓋部３０の開閉状態の判定処理手順について説明する。
【００６９】
図１０は、本実施の形態に従う電子機器１０が実行する蓋部３０の開閉状態の判定処理を示すフローチャートである。
【００７０】
図１０を参照して、ＣＰＵ１０２は、Ａ／Ｄ変換器１２２を介して電圧変化に伴う割り込み信号（電気信号）を受け付けたか否かを判断する（ステップＳ１０２）。ＣＰＵ１０２は、割り込み信号を受け付けていない場合には（ステップＳ１０２においてＮＯの場合）、ステップＳ１０２の処理を繰り返す。これに対して、ＣＰＵ１０２は、割り込み信号を受け付けた場合には（ステップＳ１０２においてＹＥＳの場合）、蓋部３０の開閉状態を判定するための処理を開始する（ステップＳ１０４）。
【００７１】
次に、ＣＰＵ１０２は、Ａ／Ｄ変換器１２２を介して入力された電気信号に基づいて、可変抵抗ゴム３２の電気抵抗値を算出する（ステップＳ１０６）。ＣＰＵ１０２は、算出された電気抵抗値が、予め定められた基準値以上か否かを判断する（ステップＳ１０８）。
【００７２】
算出された電気抵抗値が、予め定められた基準値以上である場合には（ステップＳ１０８においてＹＥＳの場合）、蓋部３０が閉じた状態であると判定し、当該判定結果をユーザに通知する。より具体的には、ＣＰＵ１０２は、ディスプレイ１０８に「蓋部３０は閉状態です。」などのメッセージを表示したり、スピーカ１１０を介して当該メッセージに対応する音声を出力させたりする。また、ＣＰＵ１０２は、ＬＥＤ１１２を介して閉状態を示す色（例えば、青色）の光を発光させてもよい。そして、ＣＰＵ１０２は、判定処理を終了する。
【００７３】
これに対して、算出された電気抵抗値が、予め定められた基準値未満である場合には（ステップＳ１１４においてＮＯの場合）、ＣＰＵ１０２は、蓋部３０が開いた状態であると判定し、当該判定結果をユーザに通知する（ステップＳ１１４）。より具体的には、ＣＰＵ１０２は、ディスプレイ１０８に「蓋部３０は開状態です。」などのメッセージを表示したり、スピーカ１１０を介して当該メッセージに対応する音声を出力させたり、ＬＥＤ１１２を介して開状態を示す色（例えば、赤色）の光を発光させたりする。次に、ＣＰＵ１０２は、接続時に筐体１２から外側に接続部材が露出する状態となるコネクタ部１１４に、接続部材が接続されているか否かを判断する（ステップＳ１１６）。
【００７４】
当該コネクタ部１１４に、接続部材が接続されていない場合には（ステップＳ１１６においてＮＯの場合）、ＣＰＵ１０２は、ステップＳ１０４からの処理を繰り返す。すなわち、ＣＰＵ１０２は、蓋部３０の開閉状態の判定処理を続行して、当該開閉状態を監視する。
【００７５】
これに対して、当該コネクタ部１１４に、接続部材が接続されている場合には（ステップＳ１１６においてＹＥＳの場合）、ＣＰＵ１０２は、判定処理を休止する（ステップＳ１１８）。これにより、電子機器１０は、蓋部３０の判定処理に伴う消費電力を低減することができる。なお、このとき、ＣＰＵ１０２は、ユーザに蓋部３０が開いた状態であることを通知している場合（例えば、ディスプレイ１０８に蓋部３０が開状態であることを示すメッセージなどが表示されている場合）には、当該通知を解除してもよい。続いて、ＣＰＵ１０２は、当該コネクタ部１１４への接続部材の接続が解除されたか否かを判断する（ステップＳ１２０）。
【００７６】
当該接続が解除されていない場合には（ステップＳ１２０においてＮＯの場合）、ＣＰＵ１０２は、ステップＳ１２０の処理を繰り返す。すなわち、ＣＰＵ１０２は、判定処理の休止状態が続行する。これに対して、当該接続が解除された場合には（ステップＳ１２０においてＹＥＳの場合）、ＣＰＵ１０２は、ステップＳ１０４からの処理を繰り返す。すなわち、ＣＰＵ１０２は、判定処理を再開する。
【００７７】
（変形例）
ここでは、ＣＰＵ１０２が、蓋部３０が完全に閉じた状態の可変抵抗ゴム３２の電気抵抗値を示す第１の基準値と、完全に開いた状態の電気抵抗値を示す第２の基準値とに基づいて、判定処理を実行する場合について説明する。
【００７８】
図１１は、本実施の形態に従う電子機器１０が実行する蓋部３０の開閉状態の判定処理の変形例を示すフローチャートである。
【００７９】
ステップＳ１０２〜ステップＳ１０６までの処理は図９に示したステップと同様であるため、その詳細な説明は繰り返さない。
【００８０】
ＣＰＵ１０２は、算出抵抗値が、第１の基準値以上であるか否かを判断する（ステップＳ２０１）。算出抵抗値が、第１の基準値以上である場合には（ステップＳ２０１においてＹＥＳの場合）、ＣＰＵ１０２は、蓋部３０が完全に閉じた状態であると判定し、当該判定結果を通知して（ステップＳ２０３）、処理を終了する。これに対して、算出抵抗値が、第１の基準値未満である場合には（ステップＳ２０１においてＮＯの場合）、ＣＰＵ１０２は、算出抵抗値が、第１の基準値よりも小さい第２の基準値以下であるか否かを判断する（ステップＳ２０５）。
【００８１】
算出抵抗値が、第２の基準値以下である場合には（ステップＳ２０５においてＹＥＳの場合）、ＣＰＵ１０２は、蓋部３０が完全に開いた状態であると判定し、当該判定結果を通知して（ステップＳ２０７）、ステップＳ１１６からの処理を実行する。これに対して、算出抵抗値が、第２の基準値よりも大きい場合（第１の基準値と第２の基準値との間の場合）には（ステップＳ２０５においてＮＯの場合）、ＣＰＵ１０２は、不完全に閉じている（少し開いている）と判定し、当該判定結果を通知して（ステップＳ２０９）、ステップＳ１１６からの処理を実行する。
【００８２】
ステップＳ１１６からの処理は図９に示したものと同様であるため、その詳細な説明は繰り返さない。
【００８３】
＜Ｇ．その他の実施の形態＞
上記では、可変抵抗ゴムが伸長して電気抵抗が変化する場合について説明したが、これに限られない。可変抵抗ゴムが、圧縮、捻じり、曲げなどにより電気抵抗が変化する場合についても適用可能である。
【００８４】
また、上記では、蓋が閉じた（または完全に閉じた）状態であると判定した場合に、判定結果を通知する場合について説明したが、蓋が開いた（または少し開いた）状態であると判定した場合にのみ、ユーザに注意を促すための通知をする場合であってもよい。
【００８５】
また、上記では、基準値が電気抵抗値である場合について説明したが、可変抵抗ゴムの伸長率とＣＰＵに入力される（分圧）電圧値とが予め関連付けられている場合には、電圧値を基準値として用いてもよい。
【００８６】
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８７】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【００８８】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【００８９】
＜Ｈ．利点＞
本実施の形態によれば、蓋部３０の開閉状態が通知されるため、ユーザに注意を喚起して蓋部３０の閉じ忘れを防止することができる。また、必要に応じて、蓋部３０の開閉状態の判定処理が休止するため、消費電力を低減することができる。
【００９０】
開閉状態を判定するための磁気センサ、機械スイッチなどが不要であるため、複雑な構成を適用することなく、装置の小型化およびコスト低減を実現することができる。また、金属への着磁などにより誤作動を起こしやすい磁気センサなどを使用する場合と比較して、より精度良い開閉状態の判定が可能となる。
【００９１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９２】
１０  電子機器、１２  筐体、２２  接続端子、２４  凹部、３０  蓋部、３２  可変抵抗ゴム、３４  カバー、５０  ＵＳＢケーブル、１０２  ＣＰＵ、１０４  メモリ、１０６  タッチパネル、１０８  ディスプレイ、１１０  スピーカ、１１２  ＬＥＤ、１１４  コネクタ部、１１６  無線通信部、１１８  通信アンテナ、１２０  ボタン、１２２  Ａ／Ｄ変換器、２００  算出部、２０２  判定部、２０４  通知部、２０６  接続判断部、６００  可変抵抗、６１０  抵抗。
【図１】
2014011035.tif 000003
【図２】
2014011035.tif 000004
【図３】
2014011035.tif 000005
【図４】
2014011035.tif 000006
【図５】
2014011035.tif 000007
【図６】
2014011035.tif 000008
【図７】
2014011035.tif 000009
【図８】
2014011035.tif 000010
【図９】
2014011035.tif 000011
【図１０】
2014011035.tif 000012
【図１１】
2014011035.tif 000013